(57)【要約】【課題】本発明は、簡単な構造で、吸気の機能を保持しつつ、吸音の機能も有するキャビネットラック１を提供することを目的としている。【解決手段】本発明に係るキャビネットラック１は、機器の吸気口近傍に吸気口４を設け、吸気口４近傍には傾斜面５を設けると共に、傾斜面５と吸気口４との間に吸音体７を設け、機器で発生した音は傾斜面５に当て和らげ、吸音体７に吸音させた後、キャビネットラック１の外部へ排出することを特徴とする。【選択図】図１
2008294254.tif 000002
【特許請求の範囲】
【請求項１】
前面に開口を有する箱体本体に通信・電気機器を収納し、前記開口を扉体で施蓋してなるキャビネットラックであって、該キャビネットラックの前記機器の吸気口近傍に吸気口を設け、該吸気口近傍には傾斜面を設けると共に、該傾斜面と吸気口との間に吸音体を設け、前記機器で発生した音は前記傾斜面に当て前記吸音体に吸音させた後、前記キャビネットラックの外部へ排出することを特徴とするキャビネットラック。
【発明の詳細な説明】
【技術分野】
【０００１】
本発明は、前面に開口を有する箱体本体に通信・電気機器を収納し、前記開口を扉体で施蓋してなるキャビネットラックに関するものである。
【背景技術】
【０００２】
近年、サーバー等の通信機器は、高容量でコンパクトな設計が主流であり、通信機器が密集して小さなスペースに収納されるため、排熱が大きな課題となっている。機器の排熱効率を上昇させるため小型で回転数の高いファンを用いることがあるが、騒音が大きく、静かなオフィス等に設置したキャビネットラックからの音漏れも問題となっていた。
【０００３】
音漏れの対策として、基本的には密閉性を高めてキャビネット３１の内側から外側への空気の移動を減らすことが良いと考えられている。そのため、扉体を二重構造とし、一重目は上下を開放状態としそこに吸気ファンを扉体に取り付け、吸気する方法があった。
【０００４】
また、扉体には吸気口を設けず、キャビネット３１の背面下部にスリットを設け吸気し、上部には排気ファンを取り付け排気していた。
【非特許文献１】”ＤＦＥ新防音”[online]、２００７年４月２７日、株式会社セイコー製作所、［平成１９年５月２５日検索］、インターネット＜ＵＲＬ：http://www.kk-seiko.co.jp＞
【非特許文献２】”Ｒａｃｋ  ｓｅｒｉｅｓ  ｓｉｌｅｎｔ  ｓｔｙｌｅ（サイレントシリーズ）”[online]、２００４年８月２日、ヤマト通信工業株式会社、［平成１９年５月２５日］、インターネット＜ＵＲＬ：http://www.yamato-t.co.jp/yamato02-7.html＞
【発明の開示】
【発明が解決しようとする課題】
【０００５】
しかしながら、上記技術におけるキャビネットラック３１では、騒音対策のため、吸気口や排気口を減らすと、排気率が悪くキャビネットラック３１内の温度上昇を招いていた。
【０００６】
扉体を二重構造にした場合には、扉体重量が嵩み、扉体の開閉や着脱が不便になるという欠点があった。また、扉体が厚くなるため扉体の設置容積が多く必要でキャビネットラック３１全体の外形寸法が大きくなり、設置場所が制限されてしまう。
【課題を解決するための手段】
【０００７】
そこで本発明は、簡単な構造で、吸気の機能を保持しつつ、吸音の機能も有するキャビネットラックを提供することを目的とし、その構造は、機器の吸気口近傍に吸気口を設け、吸気口近傍には傾斜面を設けると共に、傾斜面と吸気口との間に吸音体を設け、機器で発生した音は傾斜面に当て吸音体に吸音させた後、キャビネットラックの外部へ排出することを特徴とする。
【発明の効果】
【０００８】
本発明に係るキャビネットラックは、機器の吸気口近傍に吸気口を設け、吸気口近傍には傾斜面を設けると共に、傾斜面と吸気口との間に吸音体を設け、機器で発生した音は傾斜面に当て吸音体に吸音させた後、キャビネットラックの外部へ排出するため、吸気口からの吸気機能は従来のままで排気と共に排出される機器からの騒音は抑制し、静かな環境を維持することができる。極薄く、吸気口を前面に突出させることで、キャビネットラックの内側への有効スペースには影響が少なく、キャビネットラックは大きくすることなく吸気と静音の機能を持たせることができる。
【発明を実施するための最良の形態】
【０００９】
本発明に係るキャビネットラックの実施例を図１〜図４の添付図面に基づいて説明する。
【実施例１】
【００１０】
キャビネットラック１は前面に開口を有する箱体本体２に電気機器や通信機器等を装備し、箱体本体２の開口は扉体３で施蓋して構成される。電気機器や通信機器は、キャビネットラック１の前面側でマウントアングルにねじ止め等により固定される。電気機器や通信機器にはそれぞれ吸気・排気装置が設けられている。
【００１１】
本発明に係るキャビネットラック１には機器の吸気装置に近い位置に吸気口４を設け、効率よく吸気が行えるようにする。図１においては、機器の吸気装置が前面に設けられている状態で、機器の前面に近い位置ということで、扉体３に吸気口４を設ける。扉体３表面に傾斜面５を形成して前面側へ突出させ、その傾斜面５の側面に吸気口４を設ける。吸気口４には塵埃等の異物が侵入しないようにガラリやフィルタ６を取り付けることも可能である。
【００１２】
扉体３に設けられた傾斜面５と吸気口４との間には吸音材７を取り付ける。機器から発生するモーター音や、機器内の温度上昇を抑えるために設けられるファンのモーター音や風を切る音は、キャビネットラック１外部へ吸気口４から外へ漏れることが多い。本発明のキャビネットラック１では、機器やファンから発生した音は、矢印Ａのように扉体３の傾斜面５に反射され音を和らげられた上、吸音体７に吸音されてから、キャビネットラック１の外部へ排出される。
【００１３】
傾斜面５と吸気口４を設ける位置や数は特に限定されるものではなく、本発明の趣旨を逸脱しない範囲において適宜変更可能である。図１、図３のように、左右に二箇所設けると、吸気も多くでき、さらには、左右対称になり見栄えも良い。
【００１４】
前述のように、機器の吸気装置に近い位置に吸気口を設けるので、吸気装置の位置によっては、キャビネットラックの背面や側面のパネルに設けられることもある。
【００１５】
排気に静音構造の大型換気扇を使用すると、排気量が増えるため吸気効率も向上させることができる。
【産業上の利用可能性】
【００１６】
本発明に係るキャビネットラックは、吸気口は、機器の吸気装置の近い位置に設け、十分に吸気できるように構成すると共に、キャビネットラック内部で発生した音は傾斜面、吸音体を経て吸気口に到達するようにしたため、音の漏れを抑えることができ、扉体に設けた吸音体を強固なものにすることによって、補強体として用いることもできる。
【図面の簡単な説明】
【００１７】
【図１】キャビネットラックを示す説明図である。
【図２】図１における扉体の要部拡大図である。
【図３】キャビネットラックを示す説明図である。
【図４】図１における扉体の要部拡大図である。
【図５】従来のキャビネットラックを示す説明図である。
【符号の説明】
【００１８】
１    キャビネットラック
２    箱体本体
３    扉体
４    吸気口
５    傾斜面
６    ガラリやフィルタ
７    吸音体
【図１】
2008294254.tif 000003
【図２】
2008294254.tif 000004
【図３】
2008294254.tif 000005
【図４】
2008294254.tif 000006
【図５】
2008294254.tif 000007